(57)【要約】  【課題】ユーザーが予め定めた除霜運転禁止期間や除霜運転制限期間にはできるだけ除霜運転を行わないようにすることや、除霜運転を行ってもできるだけ室温の低下を少なくし、ユーザーに不快感を与えない空気調和機を提供する。  【解決手段】時計機能を有すると共に、少なくとも暖房運転と除霜運転とが可能な空気調和機であって、除霜運転を禁止する除霜禁止期間をユーザーの設定により記憶し、時計機能により時刻の経過を監視し、暖房運転時に除霜禁止期間の開始時刻(AM6:30)より所定時間前(10 分前) に除霜運転を強制的に実施する。また、暖房運転時における除霜運転禁止期間以外の期間は除霜運転を開始し易くして、除霜運転時間を短くすることで室温の低下を軽減し、暖房運転時における除霜運転禁止期間は除霜運転の開始をできるだけ遅らせ、除霜運転禁止期間における室温の低下を抑制する。【選択図】図３
2012047423.tif 000002
【特許請求の範囲】
【請求項１】
圧縮機と室外熱交換器と室内熱交換器と制御部とを備え、少なくとも暖房運転と除霜運転が可能な空気調和機において、
前記制御部は、前記除霜運転を禁止する除霜運転禁止期間の開始時刻を予め記憶するとともに経過時刻を監視し、前記空気調和機が前記暖房運転中に前記除霜運転禁止期間の開始時刻から所定時間前の時刻に達したとき前記除霜運転を強制的に実行することを特徴とする空気調和機。
【請求項２】
圧縮機と室外熱交換器と室内熱交換器と制御部と外気温を検出する外気温センサと前記室外熱交換器の温度を検出する室外熱交換器温度センサとを備え、少なくとも暖房運転と除霜運転が可能な空気調和機において、
前記制御部は、前記除霜運転を制限する除霜運転制限期間と、少なくとも外気温度、前記室外熱交換器温度、前記圧縮機の運転積算時間の各パラメータに基づいて設定した第一の除霜運転開始条件及び第二の除霜運転開始条件として設定され、かつ、前記第一の除霜運転開始条件は前記第二の除霜運転開始条件よりも前記除霜運転に入る頻度が高くなるように前記各パラメータの閾値を設定した除霜運転開始条件を予め記憶するとともに経過時刻を監視し、
前記制御部は前記空気調和機が前記暖房運転中の前記除霜運転制限期間以外の期間は前記第一の除霜運転開始条件に基づいて、また前記除霜運転制限期間は前記第二の除霜運転開始条件に基づいて前記除霜運転を実行することを特徴とする空気調和機。
【請求項３】
前記空気調和機は予め設定したスケジュールに従って運転するタイマー運転機能を備え、前記暖房運転は前記タイマー運転機能によるタイマー運転であることを特徴とする請求項１および請求項２に記載の空気調和機。
【発明の詳細な説明】
【技術分野】
【０００１】
本発明は、空気調和機に係わり、より詳細には、除霜運転に関する。
【背景技術】
【０００２】
従来、空気調和機は暖房運転において室外機の熱交換器に着霜した場合、これを取り除くため、冷媒回路の室内熱交換器と室外熱交換器とに流れる冷媒の流れ方向を逆転させることにより除霜運転を行う。この除霜運転を開始する条件としては、外気温、室外熱交換器の温度、圧縮機の運転積算時間などがあった。
【０００３】
例えば、暖房運転において室外熱交換器の温度が０℃以下に低下し、かつ、室外熱交換器の温度よりも外気温が高く、この状態で圧縮機の運転積算時間が所定時間を越えた場合、室外熱交換器に着霜したと考えられるため、室外機は除霜運転を開始する。除霜運転は暖房運転を一次停止して行うため、室温が徐々に低下することでユーザーに不快感を与えていた。特に冬季における朝の着替え中などに除霜運転が開始されると低い室温の中での着替えとなり、ユーザーにとっては苦痛であった。
【０００４】
ところで、このような除霜運転は冷凍食品を保存する冷凍ケースや冷蔵庫などでも行われている。特許文献１に記載の冷蔵庫では除霜運転を行う期間を予め決定しておき、夏季の場合であれば日中でなく、比較的外気温が低い夜中に除霜運転を行うようにしている。
【０００５】
また、特許文献２に記載の冷凍装置では、周期的な除霜運転可能期間を示す信号と除霜要求信号とが一致した時のみ、除霜運転を行うことが記載されている。しかしながら、結果的に除霜要求信号の受付が後回しにされるため、熱交換器に着霜したままの非効率な運転となり、冷凍庫内の温度が上昇してしまう場合があった。このように除霜運転が必要な時期が来ても一時的に除霜運転自体を後に遅延させる制御が行われている。
【０００６】
一方、空気調和機においては、室外熱交換器に着霜が発生し、このまま運転を継続した場合に熱交換効率が悪化し、室内を設定された温度に維持できなくなる。また、空気調和機では、冷蔵庫や冷凍装置のように２４時間運転する場合が少なく、また、空調対象が人であるため、室温における数度の温度変化で不快感を与えてしまう。このため、冷凍装置や冷蔵庫での除霜運転制御のように、昼間に行うべき除霜運転の開始を遅らせて夜間に行うことはできない。
【０００７】
このような問題を解決するため、複数の室内機を複数グループI 、IIに分けて同一室内に配置し、各グループごとに室外機を設けた空気調和装置において、室外機の着霜を検出して除霜運転を行うにあたり、それぞれの室外機の除霜運転を時間的にずらすことにより、同一の室内に設けられた複数グループの室内機のうち、１つのグループの室内機、例えば、グループI の室外機しか暖房運転が中断されないので、残りのグループIIの室内機で暖房運転を行うことができ室内の温度の低下を抑制するものが開示されている（例えば、特許文献３参照。）。
【０００８】
しかしながら、このように１つの室内に複数の冷媒系統の室内機を備える構成は、価格面の関係でホテルや店舗などの業務用に限定されてしまう。このため、一般の家庭用の空気調和機では、不定の時間帯に発生する除霜運転の不快感を低減させる空気調和機が望まれていた。
【先行技術文献】
【特許文献】
【０００９】
【特許文献１】特開平４−３６３５７６号公報（第２−３頁、図４）
【特許文献２】特開昭５７−８７５８１号公報（第１−２頁、図３）
【特許文献３】特開２００５−４９０２２号公報（第４−５頁、図１）
【発明の概要】
【発明が解決しようとする課題】
【００１０】
本発明は以上述べた問題点を解決し、ユーザーが予め定めた除霜運転禁止期間や除霜運転制限期間にはできるだけ除霜運転を行わないようにすることや、除霜運転を行ってもできるだけ室温の低下を少なくし、ユーザーに不快感を与えない空気調和機を提供することを目的とする。
【課題を解決するための手段】
【００１１】
本発明は上述の課題を解決するため、圧縮機と室外熱交換器と室内熱交換器と制御部とを備え、少なくとも暖房運転と除霜運転が可能な空気調和機において、
前記制御部は、前記除霜運転を禁止する除霜運転禁止期間の開始時刻を予め記憶するとともに経過時刻を監視し、前記空気調和機が前記暖房運転中に前記除霜運転禁止期間の開始時刻から所定時間前の時刻に達したとき前記除霜運転を強制的に実行することを特徴とする。
【００１２】
もしくは、圧縮機と室外熱交換器と室内熱交換器と制御部と外気温を検出する外気温センサと前記室外熱交換器の温度を検出する室外熱交換器温度センサとを備え、少なくとも暖房運転と除霜運転が可能な空気調和機において、
前記制御部は、前記除霜運転を制限する除霜運転制限期間と、少なくとも外気温度、前記室外熱交換器温度、前記圧縮機の運転積算時間の各パラメータに基づいて設定した第一の除霜運転開始条件及び第二の除霜運転開始条件として設定され、かつ、前記第一の除霜運転開始条件は前記第二の除霜運転開始条件よりも前記除霜運転に入る頻度が高くなるように前記各パラメータの閾値を設定した除霜運転開始条件を予め記憶するとともに経過時刻を監視し、
前記制御部は前記空気調和機が前記暖房運転中の前記除霜運転制限期間以外の期間は前記第一の除霜運転開始条件に基づいて、また前記除霜運転制限期間は前記第二の除霜運転開始条件に基づいて前記除霜運転を実行することを特徴とする。
【００１３】
また、前記空気調和機は予め設定したスケジュールに従って運転するタイマー運転機能を備え、前記暖房運転は前記タイマー運転機能によるタイマー運転であることを特徴とする。
【発明の効果】
【００１４】
以上の手段を用いることにより、本発明による空気調和機によれば、
請求項１に係わる発明は、暖房運転時に除霜運転禁止期間の開始時刻より所定時間前に除霜運転を強制的に実施するようにしたので、室外熱交換器の着霜がない状態で除霜運転禁止期間を暖房することができる。このため、除霜運転禁止期間中に次に除霜運転が開始されるまでの時間を長く、つまり、除霜運転禁止期間中の暖房運転時間を長くでき、除霜運転が開始された場合の室温低下開始をできるだけ遅らせることができる。
【００１５】
請求項２に係わる発明は、暖房運転時における除霜運転制限期間以外の期間は除霜運転を開始し易く（除霜運転実行頻度を高く）して、除霜運転時間を短くすることで室温の低下を軽減し、暖房運転時における除霜運転制限期間は除霜運転の開始をしにくく（除霜運転実行頻度を低く）して、除霜運転の開始をできるだけ遅らせ、除霜運転制限期間における室温の低下を遅らせることができる。
【００１６】
請求項３に係わる発明は、タイマー運転中にのみ除霜運転禁止期間や除霜運転制限期間を有効にするため、タイマー運転を利用した定型的な生活パターンにより除霜運転禁止／制限期間が限定されるため、除霜運転禁止／制限期間の設定や解除をその都度操作する必要がなく、タイマー運転に連動して除霜運転禁止／制限期間を設定でき、ユーザーの操作負担を軽減することができる。
【図面の簡単な説明】
【００１７】
【図１】本発明による空気調和機の冷媒回路を示すブロック図である。
【図２】本発明による空気調和機の制御系統を示すブロック図である。
【図３】本発明による除霜運転を説明する説明図である。
【図４】本発明による空気調和機の制御を示す室内機のフローチャートである。
【図５】本発明による空気調和機の制御を示す室外機のフローチャートである。
【発明を実施するための形態】
【００１８】
以下、本発明の実施の形態を、添付図面に基づいた実施例として詳細に説明する。
【実施例１】
【００１９】
図１は本発明による空気調和機の冷媒回路を示すブロック図である。この空気調和機の冷媒回路は、圧縮機１と、四方弁２と、室内熱交換器３と、電子膨張弁４と、室外熱交換器５と、アキュムレータ６とが順次接続されており、四方弁２を介して冷媒循環方向を切り替えるように構成されている。また、室外熱交換器５には、室外熱交換器５の温度を検出する室外熱交換器温度センサ９が、さらに、室外熱交換器５の近辺には外気温を検出する外気温センサ８がそれぞれ設けられている。
【００２０】
なお、室内熱交換器３の近辺に備えられた室内機ファンや室内機ファンモータ、及び室外熱交換器５の近辺に備えられた室外機ファンや室外機ファンモータ、圧縮機１の冷媒の吐出圧力を検出する圧力センサ、室温を検出する室温センサなど、本発明に直接関係ない部分については、図示と説明とを省略している。
また、この冷媒回路には、圧縮機１と四方弁２と電子膨張弁４とを駆動制御すると共に、室外熱交換器温度センサ９と外気温センサ８とで検知した温度を入力する室外機制御部７が備えられている。
【００２１】
後述する室内機からの暖房運転モード開始の指示により、室外機制御部７は四方弁２を切り替えて圧縮機１の運転を開始し、図１における実線矢印で示す暖房運転時の方向に冷媒を循環させる。
【００２２】
暖房運転において、圧縮機１で高温高圧のガスとなった冷媒は四方弁２を通過し、室内熱交換器３で熱を放出して液体となり、さらに、電子膨張弁４で減圧されてしめり蒸気となり、室外熱交換器５で熱を吸収し、ガスとなって再び圧縮機１で圧縮される過程を繰り返す。
【００２３】
そして、暖房運転時に室外機制御部７は、後述する条件により室外熱交換器５に着霜が発生したと判断すると、室外機制御部７は除霜運転を開始する。このため、暖房運転を中断した後、四方弁２を切り換えて圧縮機１の運転を開始し、図１における破線矢印で示す除霜運転時の方向に冷媒を循環させる。
【００２４】
除霜運転において、圧縮機１で高温高圧のガスとなった冷媒は四方弁２を通過し、室外熱交換器５で熱を放出して液体となり、さらに、電子膨張弁４で減圧されてしめり蒸気となり、室内熱交換器３で熱を吸収し、ガスとなって再び圧縮機１で圧縮される過程を繰り返す。従って暖かい冷媒を用いて室外熱交換器５を０℃以上に加熱することにより、室外熱交換器５に着霜した霜を溶かして除霜することができる。
【００２５】
図２は空気調和機を示す制御ブロックである。この空気調和機は室内機２０と室外機１０とで構成され、これらは電源線２５と通信線２１とで接続されている。なお、熱交換器や冷媒回路などの構成の図示を省略している。
【００２６】
室内機２０は、図示しないリモコンの赤外線信号を受信するリモコン受信部２２と、室内機電源部２３と、室外機１０への電源供給をオン／オフする電源供給リレー２４と、室内機ファンモータ２７と、空気調和機の運転状態を表示する表示部２６と、室内機ファンモータ２７と電源供給リレー２４とリモコン受信部２２と表示部２６とを制御する室内機制御部２８とを備えている。なお、電源線２５と通信線２１とを介して室外機１０とデータの送受信を行なうように構成されている。また、室内機制御部２８内部には時計機能が備えられており、室内機制御部２８は現在の時刻を認識できるようになっている。
【００２７】
一方、室外機１０は、室外機電源部１３と、圧縮機モータ１７と、圧縮機モータ１７を駆動する駆動部１６と、冷媒の循環方向を切り換える四方弁２と、室外機ファンモータ１２と、電子膨張弁４と、圧縮機駆動部１６と四方弁２と室外機ファンモータ１２と電子膨張弁４とを制御する室外機制御部７とを備えている。また、室外機制御部７には、外気温を検出する外気温センサ８と、室外熱交換器５の温度を検出する室外熱交換器温度センサ９とが接続されている。
【００２８】
室内機電源部２３は電源プラグに電源が供給されると、室内機２０の各部へ電源を供給し、リモコン受信部２２を介してリモコンから制御信号、例えば電源オンや暖房運転モードの指示信号が室内機制御部２８へ伝えられると、同室内機制御部２８は電源供給リレー２４をオンした後、通信線２５を介して室外機制御部７に運転指示を与える。室外機制御部７は、与えられた指示に従って圧縮機駆動部１６を制御して圧縮機モータ１７を駆動し、指定された運転を行なう。
【００２９】
そして、室外機制御部７は暖房運転中に、圧縮機１の運転積算時間と、室外熱交換器温度センサ９を介して室外熱交換器５の温度と、外気温センサ８を介して外気温とを監視しており、これらが後述する除霜運転開始条件になった場合に除霜運転を開始すると共に、この『除霜運転の開始』の状態データを室内機制御部２８に送信する。これを受信した室内機制御部２８では室内機ファンモータ２７の回転数を低下させて除霜運転のモードを開始する。
【００３０】
除霜運転の間、室外機制御部７は室外熱交換器温度センサ９を介して室外熱交換器５の温度を監視しており、この検出温度が、除霜運転開始時の温度に対して所定の値だけ上昇したら除霜運転を停止し、冷媒の圧力がバランスすると思われる時間の後に暖房運転を再開すると共に、この『除霜運転の停止』の状態データを室内機制御部２８に送信する。これを受信した室内機制御部２８では室内機ファンモータ２７の回転数を増加させて暖房運転モードを再開する。
【００３１】
図３は本発明による除霜運転を説明する説明図である。図３（１）は本発明を利用する場合のユーザーの行動パターンの一例である。これはユーザーが起床（ＡＭ６：００）、朝食（ＡＭ６：００〜ＡＭ６：３０）、着替え（ＡＭ６：３０〜ＡＭ６：４５）、出勤（ＡＭ７：００）するまでの行動スケジュールを時間的に区切ったものである。また、ユーザーは空気調和機に備えられているタイマー運転の機能を用いて、自身が起床するＡＭ６：００より３０分早いＡＭ５：３０に暖房運転を開始させるようにしている。
【００３２】
図３（２）は従来の暖房運転における室温の変化を表すものであり、図３（３）は従来の除霜運転のタイミングを表している。なお、暖房運転の設定温度は２２℃であり、タイマー運転の機能により、ＡＭ５：３０に暖房運転が開始されると、室温が１０℃から徐々に上昇し、ユーザーが起床するＡＭ６：００には室温がほぼ２２℃となっている。
【００３３】
図３（３）に示すように、除霜運転を開始する条件が満たされると、室外機１０は除霜運転を開始し、ＡＭ５：３０〜ＡＭ７：００までの間に合計３回の除霜運転を実行している。従来の除霜運転開始条件は、暖房運転中であることと、圧縮機１の運転積算時間と室外熱交換器５の温度と外気温との各パラメータで決定される。一例として、外気温が−１０℃以上の場合、圧縮機１の運転積算時間が３５分以上で、かつ、室外熱交換器５の温度が−１７℃以下の場合である。また、外気温が−１０℃未満の場合、圧縮機１の運転積算時間が３５分以上で、かつ、室外熱交換器５の温度が−２０℃以下の場合である。
これらの温度閾値や時間閾値は予め定められた値であり、室外機制御部７がこれらの閾値と各温度や時間とを比較することで除霜運転を開始する条件が満たされたか否かを判断する。
【００３４】
なお、除霜運転の停止条件は室外熱交換器５の温度が、除霜運転開始時の温度から１６℃の上昇、もしくは、除霜運転開始から１５分の経過である。なお、除霜運転の開始／停止の条件は一例であり、空気調和機の仕様により任意に決定されるものである。この条件も室外機制御部７がこの温度上昇の閾値と室外熱交換器温度センサ９の検知温度とを比較することで判断している。
【００３５】
図３（３）の従来例では朝食の時間帯と着替えの時間帯と出勤までの時間帯にそれぞれ、１回ずつ除霜運転が行われている。除霜運転の場合、暖房運転が一時的に中断されるため、２２℃の室温が１５℃前後まで一時的に低下している。ユーザーが食事中などの場合は食事により体温が上昇しており、室温の低下はそれほどユーザーは感じないが、着替え中などの場合は室温の低下は非常に不快に感じてしまう。また、前述したように除霜運転開始の条件は比較的複雑であり、天候等の影響を受けて除霜運転開始のタイミングは不定である。
【００３６】
このため、着替え中などの場合以外のタイミングで除霜運転を行いたいと思っても、従来の空気調和機ではユーザーにはどうすることもできなかった。本発明では着替え中など、ユーザーが除霜運転をして欲しくない除霜運転禁止期間を予め決定して空気調和機に記憶させておき、空気調和機でこの除霜運転禁止期間にはできるだけ除霜運転しないように制御することを特徴にしている。
【００３７】
図３（４）はこの設定された除霜運転禁止期間を示しており、この例の場合、それは着替えの期間（ＡＭ６：３０〜ＡＭ６：４５）である。この除霜運転禁止期間はユーザーが図示しないリモコンで時間指定できるようになっている。そして、リモコンから送信されたこの除霜運転禁止期間の時刻データは、室内機制御部２８内に予め記憶されている。
【００３８】
本実施例では除霜運転禁止期間に除霜運転を行わないために２つの制御を行っている。一つ目は時刻の経過を室内機制御部２８が監視し、除霜運転禁止期間の開始時刻直前に室内機制御部２８から室外機制御部７に対して強制除霜運転の指示を送信し、これを受信した室外機制御部７が指示に従って除霜運転を行うことである。ここで『除霜運転禁止期間の開始時刻直前』とは、除霜運転禁止期間の開始時刻までに除霜運転を終了し、暖房運転を再開することが可能な最短の除霜運転開始時刻を意味する。例えば除霜運転禁止期間の開始時刻（ＡＭ６：３０）の直前（ＡＭ６：２０）に、除霜運転の開始条件が満足されなくても除霜運転を意図的（強制的）に開始し、この除霜運転が終了して暖房運転が除霜運転禁止期間の開始時刻（ＡＭ６：３０）に開始されるように除霜運転禁止期間の開始時刻の直前を決定している。除霜運転禁止期間の開始時刻から直前の時間までは、所定時間：１０分として予め決定しておけばよい。なお、ここで説明する除霜運転禁止期間の開始時刻の直前の時刻を強制除霜運転開始時刻と呼称する。
【００３９】
このため、除霜運転禁止期間の開始時刻（ＡＭ６：３０）前には除霜運転が終了し、暖房運転を再開している。この除霜運転は予め規定した除霜運転開始の条件を満たさなくても強制的に行うため実際の除霜運転期間は短く、ＡＭ６：２５には暖房運転を開始している。このため、この除霜運転終了以降ではある程度の時間、除霜運転を行わなくても暖房運転を継続することができる。
従って着替え中に除霜運転が開始されてユーザーが不快な思いをすることがない。
【００４０】
除霜運転禁止期間に除霜運転を行わないための２つ目の制御は、除霜運転禁止期間以外の期間に除霜運転の実行頻度を高くしていることである。除霜運転の周期が長いと熱交換器に着霜する霜も多くなり、結果的に除霜運転時間が長くなり、この結果、室温の低下が大きくなる。例えば、図３（３）のように従来はＡＭ５：３０〜ＡＭ７：００までに１０分間の除霜運転を３回行っているが、本発明による制御では図３（５）に示すように、同じ時間に７分間の除霜運転を４回行っている。この結果、従来では除霜運転によって室温が２２℃から１５℃に７℃も低下していたが、本初の場合は室温が２２℃から１９℃に３℃の低下に抑えられている。このため室温の低下をできるだけ抑制し、ユーザーの不快感を低減している。
【００４１】
このように除霜運転を頻繁に行うようにするため、空気調和機では除霜運転禁止期間が設定された場合、除霜運転開始条件を従来の空気調和機よりも除霜運転を開始しやすいように変更している。例えば、前述した従来の除霜運転開始条件のパラメータにおける各閾値を、圧縮機１の運転積算時間が３５分以上から２０分以上に、また、外気温が−１０℃以上の場合、室外熱交換器５の温度が−１７℃以下から−１３℃以下に、また、外気温が−１０℃未満の場合、室外熱交換器５の温度が−２０℃以下から−１７℃以下にそれぞれ変更して使用している。なお、これらの条件は実験等により最適な値を事前に求めておく。
【００４２】
また、強制除霜運転開始時刻から除霜運転を行った場合、除霜運転の停止から暖房運転を再開する時、一時的に室温の設定温度（目標温度）を設定値よりも高めに、例えば室温が２２℃の設定であれば、これより２℃だけ高い２４℃として運転している。これはユーザーが設定した除霜運転禁止期間が４０分以上のように比較的長い場合、気象条件によっては、除霜運転禁止期間に除霜運転を開始しなければならない場合が発生する。この時、除霜運転によるユーザーの不快感を低減するため、室温を事前に高めにするためである。
【００４３】
なお、本実施例では前述のように、除霜運転を頻繁に行うように除霜運転開始条件を従来とは異なった値にしている。さらにこれに加えて、除霜運転禁止期間中はできるだけ除霜運転を行わないようにするため、除霜運転開始条件を一時的に変更するようにしてもよい。例えば、本発明による除霜運転開始条件を第一の除霜運転開始条件に、また、従来における除霜運転開始条件を第二の除霜運転開始条件と定義した場合、除霜運転禁止期間中（この場合は除霜運転に制限を加えるという意味で除霜運転制限期間中）は第二の除霜運転開始条件に、また、除霜運転禁止期間中（除霜運転制限期間）以外を第一の除霜運転開始条件に、それぞれ切り換えるようにする。
【００４４】
また、本実施例ではタイマー運転の機能を用いている場合に本発明の運転制御を行うこととして説明しているが、これに限るものでなく、タイマー運転以外の通常運転時においても本発明による運転制御を行ってもよい。
【００４５】
以上説明したように、暖房運転時に除霜運転禁止期間の開始時刻より所定時間前に除霜運転を強制的に実施するようにしたので、次に除霜運転を行うまでの時間を長くして、除霜運転禁止期間中の除霜運転開始を遅らせ、除霜運転による室温の低下を軽減させることができる。
【００４６】
次に、空気調和機の除霜運転に関する処理を図４に示す室内機２０の処理と図５に示す室外機１０の処理とを表すそれぞれのフローチャートを用いて説明する。図４及び図５に記載のＳＴはステップを表し、これに続く数字はステップ番号を、また、ＹはＹｅｓを、ＮはＮｏをそれぞれ表している。なお、室内機２０の処理フローは室内機制御部２８、室外機１０の処理フローは室外機制御部７のそれぞれの動作ステップを示している。
【００４７】
図４において室内機制御部２８は、まず図示しないリモコンからのリモコン信号を受信したか確認する（ＳＴ０）。リモコン信号を受信した場合（ＳＴ０−Ｙ）、受信信号が除霜運転禁止期間の設定指示か確認する（ＳＴ７）。受信信号が除霜運転禁止期間の設定指示の場合（ＳＴ７−Ｙ）、除霜運転禁止期間の開始時刻と終了時刻とを室内機制御部２８内の図示しない記憶部に記憶する（ＳＴ９）。そして、ＳＴ０へジャンプする。
【００４８】
受信信号が除霜運転禁止期間の設定指示でない場合（ＳＴ７−Ｎ）、受信したリモコン信号の指示に従って空気調和機を制御、運転する（ＳＴ８）。これは電源オン／オフや暖房／冷房／除湿などの各運転指示や、設定温度の変更、タイマー運転の指定などである。そして、ＳＴ０へジャンプする。
【００４９】
一方、リモコン信号を受信していない場合（ＳＴ０−Ｎ）、ユーザーが設定したタイマー運転の設定があるか確認し、設定がある場合は設定された時刻に所定の動作を行う（ＳＴ１）。次に室外機１０からの通信が有るか確認する（ＳＴ２）。室外機１０からの通信が無い場合（ＳＴ２−Ｎ）、除霜運転禁止期間の設定が既に行われているか確認する（ＳＴ３）。除霜運転禁止期間の設定が既に行われている場合（ＳＴ３−Ｙ）、除霜運転禁止期間の開始１０分（所定時間）前、つまり、強制除霜運転開始時刻か確認する（ＳＴ４）。強制除霜運転開始時刻の場合（ＳＴ４−Ｙ）、室外機へ除霜運転開始（強制除霜運転）を通信により指示する（ＳＴ５）。そして、ＳＴ０へジャンプする。
【００５０】
一方、室外機１０からの通信が有る場合（ＳＴ２−Ｙ）、室外機１０からの通信内容に従った処理を実施する（ＳＴ６）。これは例えば圧縮機１の異常などのエラー情報、室外機１０での消費電力値や暖房運転モードで運転中に除霜運転が開始／終了された場合などである。エラー情報などの場合は運転を中止して室内機２０の表示部２６を介してユーザーに対してエラーの発生を報知する。暖房運転モードで運転中に除霜運転が開始された場合は、室内機ファンモータ２７の回転数を低下させ、表示部２６を介してユーザーに対して除霜運転中であることを報知する。また、除霜運転が解除された場合は、暖房運転に復帰する。このような処理を行った後、ＳＴ０へジャンプする。
【００５１】
また、除霜運転禁止期間の設定が行われていない場合（ＳＴ３−Ｎ）、及び強制除霜運転開始時刻でない場合（ＳＴ４−Ｎ）は、それぞれＳＴ０へジャンプする。
【００５２】
次に室外機１０の制御について説明する。図５において室外機制御部７は、常に交信している室内機２０からの指示データを受信したか確認する（ＳＴ２１）。室内機２０からの指示をデータを受信していない場合（ＳＴ２１−Ｎ）、次に現在、室内機２０からの指示を処理中か確認する（ＳＴ２２）。室内機２０からの指示を処理中でない場合（ＳＴ２２−Ｎ）、運転指示待ちであるため、ＳＴ２１へジャンプする。
【００５３】
室内機２０からの指示を処理中である場合（ＳＴ２２−Ｙ）、つまり、冷房／暖房／除湿／除霜のいずれかの運転モードで有る場合、次に暖房運転モードで運転中であるか確認する（ＳＴ２３）。暖房運転モードで運転中でない場合（ＳＴ２３−Ｙ）、ＳＴ２１へジャンプする。暖房運転モードで運転中である場合（ＳＴ２３−Ｙ）、除霜運転の開始／停止条件である外気温と室外熱交換器５の温度の入力、別途記憶している圧縮機１の運転積算時間を読み出しを行う（ＳＴ２４）。
【００５４】
次に除霜運転中か確認する（ＳＴ２５）。除霜運転中でない場合（ＳＴ２５−Ｎ）、室内機２０からの強制除霜運転開始の指示が有るか確認する（ＳＴ２６）。室内機２０からの強制除霜運転開始の指示が無い場合（ＳＴ２６−Ｎ）、除霜運転開始の条件が成立したか確認する（ＳＴ２７）。
【００５５】
除霜運転開始の条件が成立した場合（ＳＴ２７−Ｙ）、暖房運転を中止した後、除霜運転を開始する（ＳＴ２８）。次に除霜運転を開始した旨を室内機２０へ送信する（ＳＴ２９）。そして、ＳＴ２１へジャンプする。
【００５６】
一方、室内機２０からの強制除霜運転開始の指示が有る場合（ＳＴ２６−Ｙ）、除霜運転開始の条件に係わらずに除霜運転を開始するためＳＴ２８へジャンプする。
一方、除霜運転開始の条件が成立しない場合（ＳＴ２７−Ｎ）、ＳＴ２１へジャンプする。
【００５７】
一方、除霜運転中である場合（ＳＴ２５−Ｙ）、除霜運転停止条件が成立したか確認する（ＳＴ３０）。除霜運転停止条件が成立していない場合（ＳＴ３０−Ｎ）、ＳＴ２１へジャンプする。また、除霜運転停止条件が成立した場合（ＳＴ３０−Ｙ）、除霜運転を停止後、暖房運転を再開する（ＳＴ３１）。次に除霜運転を停止し、暖房運転を再開した旨を室内機２０へ送信する（ＳＴ３２）。そして、ＳＴ２１へジャンプする。
【００５８】
一方、室内機２０からの指示を受信した場合（ＳＴ２１−Ｙ）、受信した指示が強制除霜運転開始であるか確認する（ＳＴ３３）。受信した指示が強制除霜運転開始である場合（ＳＴ３３−Ｙ）、強制除霜運転開始の指示を記憶する（ＳＴ３４）。そしてＳＴ２３へジャンプする。受信した指示が強制除霜運転開始でない場合（ＳＴ３３−Ｎ）、受信した指示に従って室外機１０を運転する（ＳＴ３５）。そして、ＳＴ２１へジャンプする。
【００５９】
なお、受信した指示とは、冷房／暖房／除湿／除霜のいずれかの運転モードでの運転開始や停止、圧縮機の運転能力の増減などである。
【００６０】
なお、前述したように、図５のステップ２７において、室外機制御部７は、暖房運転時における除霜運転禁止期間（除霜運転制限期間）以外の期間に除霜運転開始条件を第一の除霜運転開始条件に切り換え、暖房運転時における除霜運転禁止期間（除霜運転制限期間）に第二の除霜運転開始条件に切り換えて除霜運転開始を判断するようにしてもよい。なお、除霜運転禁止期間（除霜運転制限期間）の開始／終了のタイミングは、室内機制御部２８の時計機能を用いて検出し、このタイミング情報を室内機２０から室外機１０へ送信することで、室外機１０側で除霜運転禁止期間（除霜運転制限期間）を認識可能である。
このような構成により、暖房運転時における除霜運転制限期間以外の期間は除霜運転を開始し易く（除霜運転頻度を高く）して、除霜運転時間を短くすることで室温の低下を軽減し、暖房運転時における除霜運転制限期間は除霜運転の開始をしにくく（除霜運転頻度を低く）して、除霜運転の開始をできるだけ遅らせ、除霜運転制限期間における室温の低下を遅らせることができる。
【００６１】
また、図４のステップ５において、タイマー運転の設定が有る時のみ『室外機へ除霜運転開始を指示』するステップを実行するようにし、タイマー運転の設定が無い場合は指示するステップを行わないようにしてもよい。
このような構成により、タイマー運転中にのみ除霜運転禁止期間や除霜運転制限期間を有効にするため、タイマー運転を利用した定型的な生活パターンにより除霜運転禁止／制限期間が限定されるため、除霜運転禁止／制限期間の設定や解除をその都度操作する必要がなく、タイマー運転に連動して除霜運転禁止／制限期間を設定でき、ユーザーの操作負担を軽減することができる。
【符号の説明】
【００６２】
１  圧縮機
２  四方弁
３  室内熱交換器
４  電子膨張弁
５  室外熱交換器
６  アキュムレータ
７  室外機制御部
８  外気温センサ
９  室外熱交換器温度センサ
１０  室外機
１２  室外機ファンモータ
１３  室外機電源部
１６  圧縮機駆動部
１７  圧縮機モータ
２０  室内機
２１  通信線
２２  リモコン受信部
２３  室内機電源部
２４  電源供給リレー
２５  電源線
２６  表示部
２７  室内機ファンモータ
２８  室内機制御部
【図１】
2012047423.tif 000003
【図２】
2012047423.tif 000004
【図３】
2012047423.tif 000005
【図４】
2012047423.tif 000006
【図５】
2012047423.tif 000007